(57)【特許請求の範囲】
【請求項１】
略同一の形状の一対のクリップ片（３），（４）で構成される接ぎ木用接合具で穂木苗と台木苗の接合面を挟持して接ぎ木苗（１５）を製造する接ぎ木用接合装置であって、前記クリップ片（３），（４）には、中央部に接ぎ木苗の接合部を押える湾曲部（１０）を有し、該湾曲部（１０）の前面に横方向の所定間隔おきに先端部が弧状の小突起（１４）を設け、前記湾曲部（１０）の横方向の一端部の前側に凹部（１）を有し、前記湾曲部（１０）の横方向の他端部の前側に凸部（２）を有し、凹部（１）と凸部（２）とを互いにはめ合い可能な構成とし、凹部（１）及び凸部（２）の夫れ夫れの背面にクリップ保持部（１３）を設け、クリップ片（３），（４）は可撓性を有し紐状に連続して形成すると共に、該クリップ保持部（１３）に挿入され且つ遠近移動手段により接合場所（７）側に向けて突出するクリップ保持ハンド（８）を有し、該クリップ保持ハンド（８）を両側部に備えるクリップハンド（５），（６）を接合場所（７）を挟んで対向させて設け、紐状に連続して形成された一対のクリップ片（３），（４）を前記クリップハンド（５），（６）側に繰り出すそれぞれの繰り出し装置とクリップ片（３），（４）を一作業毎に切断する切断装置とを設けた接ぎ木用接合装置。
【発明の詳細な説明】
【０００１】
【発明の属する技術分野】
この発明は、台木苗と穂木苗とを接合して接ぎ木苗を製造する接ぎ木用接合装置に関する。
【０００２】
【従来の技術】
中間部に非リング状の弾性体を設けた一対のクリップ片よりなる接ぎ木クリップや内側に凹部・凸部を有する矩形上の一対のクリップ片からなる接ぎ木クリップと該接ぎ木クリップを押し出すクリップハンドで構成した接ぎ木用クリップがある。
【０００３】
【発明が解決しようとする課題】
しかしながら、前記接ぎ木クリップは硬い弾力性のない合成樹脂で形成しているので、挟持力が強いと台木苗あるいは穂木苗を傷つけ、反対に弱いと苗の脱落や接合部の外れ等を生じ、接合率・活着率の低下を引き起こす。
【０００４】
【課題を解決するための手段】
この発明は、接合率等を向上する接ぎ木装置を提供するものであって、つぎの技術的手段を講じた。
即ち、略同一の形状の一対のクリップ片３，４で構成される接ぎ木用接合具で穂木苗と台木苗の接合面を挟持して接ぎ木苗１５を製造する接ぎ木用接合装置であって、前記クリップ片３，４には、中央部に接ぎ木苗の接合部を押える湾曲部１０を有し、該湾曲部１０の前面に横方向の所定間隔おきに先端部が弧状の小突起１４を設け、前記湾曲部１０の横方向の一端部の前側に凹部１を有し、前記湾曲部１０の横方向の他端部の前側に凸部２を有し、凹部１と凸部２とを互いにはめ合い可能な構成とし、凹部１及び凸部２の夫れ夫れの背面にクリップ保持部１３を設け、クリップ片３，４は可撓性を有し紐状に連続して形成すると共に、該クリップ保持部１３に挿入され且つ遠近移動手段により接合場所７側に向けて突出するクリップ保持ハンド８を有し、該クリップ保持ハンド８を両側部に備えるクリップハンド５，６を接合場所７を挟んで対向させて設け、紐状に連続して形成された一対のクリップ片３，４を前記クリップハンド５，６側に繰り出すそれぞれの繰り出し装置とクリップ片３，４を一作業毎に切断する切断装置とを設けた接ぎ木用接合装置とする。
【０００５】
【作用】
接ぎ木に用いる台木苗と穂木苗を切断し、夫れ夫れの切断面を合わせる。また、繰り出し装置により紐状のクリップ片３，４が繰り出されると共に、該クリップ片３，４は切断装置により一作業分毎に切断されて各クリップハンド５，６側に供給される。次に、クリップハンド５，６のクリップ保持ハンド８がクリップ片３，４のクリップ保持部１３に入って遠近移動手段により移動し、苗を挾んで対向する一対の紐状のクリップ片３，４を接近させ、クリップ片３，４の凸部２を他方の凹部１に押し込んで凹部１と凸部２とを互いにはめ合う。中央部の湾曲部１０が台木苗と穂木苗の接合部を押える。
【０００６】
【効果】
一対のクリップ片３，４は１種類で対応できるので、対向するクリップハンド５，６の共用化を図れると共に、クリップ片３，４の管理は勿論のこと、クリップ片３，４を接ぎ木用の苗側に移動する遠近移動手段の構成も簡単になる。また、クリップ片３，４は紐状であって、一定方向に設けることによりクリップ片３，４の方向を揃える必要もなくクリップ片３，４の自動供給に適し、接合不良を防止し得る。そして、クリップ片３，４の湾曲部１０の内面に小突起１４を設けているので、穂木苗と台木苗の胚軸部の横方向への移動を規制し接合面の外れを防止し得る。更に、クリップ片３，４の凹部１と凸部２との背面に一体にクリップ保持部１３を設けているので、凹部１と凸部２とにかかる力が略一定になり苗の胚軸のつぶれがなく活着率を高める。また、遠近移動手段によりクリップ保持ハンド８が強制的に遠近移動したとき、湾曲部１０が後側に撓むので、接ぎ木苗１５の胚軸が大きい場合でもつぶすことなくしっかりと挟持でき、接合面の外れを防止し得る。
【０００７】
【発明の実施の形態】
以下、この発明の実施例を図面に基づいて具体的に説明する。
まず、その構成について説明すると、クリップハンド５，６は接合場所７を挾んで対向させ、遠近移動手段（エア，電動，油圧等）により遠近移動可能に設けると共に夫れ夫れの左右両側部に接合場所側に向けて突出する棒状のクリップ保持ハンド８，８を有している。そして、該クリップ保持ハンド８，８は、図４に示すように横移動手段（エア，電動，油圧等）により横方向に移動・停止自在に構成してもよく、図６に示すように可撓性の素材により先端部が横方向に屈曲する構成としてもよい。
【０００８】
接合具である接ぎ木用クリップ９は、一対のクリップ片３，４で構成され、可撓性の樹脂材により中央部を外側に向けて弧状に湾曲した湾曲部１０と、この湾曲部１０の横方向の一端部に一体で前側に設けた凹部１と、その横方向の他端部に一体で前側に設け且つ相手の凹部１に入って略密着する凸部２と、該凹部１及び凸部２の夫れ夫れの背面に前記クリップ保持ハンド８の先端部１１が挿入し得る溝（孔でもよい）１２を有するクリップ保持部１３とを一体に設けている。なお、クリップ片３，４は分解する素材で形成してもよく、これで形成すると環境にも優れている。
【０００９】
そして、該湾曲部１０の前面には横方向の所定間隔置きに先端部が弧状（球状でもよい）に形成した小突起（縦長の突起体でもよい）１４を設けている。また、クリップ片３，４は紐状でロ−ル状に連続して形成しており、繰り出し装置（図示せず）によって繰り出されると共に切断装置（図示せず）により一回（一接ぎ木作業）毎に切断されて所定位置に供給される構成である。また、該ロ−ル状の紐クリップは夫れ夫れのクリップハンド側に繰り出されるべく２個設けている。１５は接ぎ木苗である。
【００１０】
つぎに、その作用について説明する。
まず、所定位置で切断した穂木苗と台木苗を接合場所７に搬送し夫れ夫れの切断面を合わせる。また、紐状のクリップ片３，４は切断装置により一作業分の一個毎切断されて各クリップハンド５，６側に供給される。
つぎに、両クリップハンド５，６が接近する側の予め設定した位置まで前進すると、これに関連してクリップ保持ハンド８もクリップ保持部１３の溝１２に入ってその移動と同方向にクリップ片３，４を移動するので、クリップ片３，４の凸部２が他方の凹部１に押し込む。その後、クリップハンド５，６は元の位置に向けて後退するので、クリップ保持ハンド８も後退してクリップ保持部１３から外れる。
【００１１】
この作業によって、各クリップ片３，４の湾曲部１０の内面が穂木苗と台木苗の接合面を挟持して接ぎ木苗１５を製造し接ぎ木作業を完了するが、クリップ片３，４は可撓性の素材で形成されているので、接ぎ木苗１５の胚軸がつぶれることがなく活着率を高め得る。そして、該湾曲部１０の内面に小突起１４を設けているので、穂木苗と台木苗の胚軸部の横方向への移動を規制し接合面の外れを防止し得る。また、クリップ片３，４は紐状で略同一の形状を用いるので、クリップハンド５，６の共用化を図れると共にクリップ片３，４の取り扱いも便利である。
【００１２】
そして、クリップ片３，４の凹部１と凸部２の背面に一体にクリップ保持部１３を設けているので、凹部１と凸部２にかかる力が略一定になり苗の胚軸のつぶれがなく活着率を高める。
そして、図４の形態では、クリップ保持ハンド８は横方向に強制的に遠近移動したとき、湾曲部１０の中央部が後側に撓むので、接ぎ木苗１５の胚軸が大きい場合でもつぶすことがなくしっかりと挟持でき、接合面の外れを防止し得る。
【００１３】
また、図６の形態では、クリップ保持ハンド８の先端部１１が胚軸の太さによって遠近撓むので、接ぎ木作業に用いる苗の適用範囲を向上する。
別実施例１
図８は接ぎ木用クリップの別実施例であって、可撓性の樹脂材により中央部より一方の端部に凹部１６を設けると共に他方を後側に湾曲し且つ端部に凸部１７を設けて折たたみ可能に「く」状に形成している。そして、該凹部１６と凸部１７の背面には孔１８を有するクリップ保持部１９を一体に形成している。また、接ぎ木用クリップＡは凹部側の内面の中央部に接ぎ木用の苗の胚軸が入る円弧状の溝２０を形成し、凸部側の内面に所定間隔置きに先端部が円弧状の小突起２１を形成している。
【００１４】
従って、凹部側のクリップ保持部１９の孔に作動体２２を挿入し、該孔に挿入した作動体を移動して接ぎ木用クリップＡを折たたみ凸部１７を凹部１６に入れる。
すると、溝２０と凸部側の湾曲部の内面は苗の接合部を挟持するので、接合面の外れを防止し活着率を高める。また、図９のように溝２０に代えて、薄肉の帯２３を一体形成することにより、凸部１６を凹部１７に入れたとき、この帯が苗の接合面を挟持し、接合面の外れ防止が一層高まる。
【００１５】
別実施例２
図１０はクリップの別実施例であって、平面視において、軸部の先端部に先端が遠ざかる側に二又に分岐し、一方のクリップ片を側面視において上下方向の中央部にＵ字状の溝２６を設け、他方のクリップ片２７の中央部にこの溝２６に入り略密着する突出部を設けている。
【００１６】
そして、夫れ夫れのクリップ片２５，２７軸部２４を接近する側に移動して突出部２８が溝２６に入り一体化すると、このとき所定位置を切断した穂木苗と台木苗も２又の内側の斜面によって内側に寄せられて挟持される。従って、切断面の位置が若干ずれていても修正することができ接合率を良くし接ぎ木苗の活着率を高める。
【図面の簡単な説明】
【図１】接合状態の接合装置の平面図
【図２】クリップ片の平面図
【図３】接合前の接合装置の平面図
【図４】クリップ保持ハンドが移動した接合前の接合装置の平面図
【図５】接合状態の接合装置の平面図
【図６】別実施例のクリップ保持ハンドを有する接合装置の平面図
【図７】別実施例のクリップ保持ハンドによる接合状態の接合装置の平面図
【図８】別実施例の接ぎ木用クリップの平面図
【図９】別実施例の接ぎ木用クリップの平面図
【図１０】別実施例の接ぎ木用クリップの接合作用を示す平面図
【図１１】図１０のＡ−Ａ断面図
【図１２】別実施例の接ぎ木用クリップの正面図
【符号の説明】
１    凹部
２    凸部
３，４  クリップ片
５，６  クリップハンド
７    接合場所
８    クリップ保持ハンド
１０  湾曲部
１３  クリップ保持部
１４  小突起
１５  接ぎ木苗
【図１】
0003658902.tif 000002
【図２】
0003658902.tif 000003
【図３】
0003658902.tif 000004
【図４】
0003658902.tif 000005
【図５】
0003658902.tif 000006
【図６】
0003658902.tif 000007
【図７】
0003658902.tif 000008
【図８】
0003658902.tif 000009
【図９】
0003658902.tif 000010
【図１０】
0003658902.tif 000011
【図１１】
0003658902.tif 000012
【図１２】
0003658902.tif 000013